(57)【要約】【課題】回動の際のトルクが大きく低下することを抑制できるヒンジ構造を提供する。【解決手段】第一部材５０と、第一部材５０に設けられた支軸と、支軸に軸支された第二部材５１と、支軸の軸方向において第二部材５１と並べて設けられた摺接部材５４とを備える。第二部材５１及び摺接部材５４が支軸の軸方向に挟み込まれる。摺接部材５４は予めオイルを含浸させたものである。【選択図】図１
2015052357.tif 000002
【特許請求の範囲】
【請求項１】
第一部材と、この第一部材に設けられた支軸と、この支軸に軸支された第二部材と、前記支軸の軸方向において前記第二部材と並べて設けられた摺接部材とを備え、前記第二部材及び前記摺接部材が前記支軸の軸方向に挟み込まれ、前記摺接部材は予めオイルを含浸させたものであることを特徴とするヒンジ構造。
【請求項２】
前記摺接部材が前記支軸の軸方向において前記第二部材の両側に設けられ、押圧部材、一方の前記摺接部材である第一摺接部材、前記第二部材、他方の前記摺接部材である第二摺接部材、および前記第一部材が、この順序で前記支軸の軸方向において順に設けられ、前記押圧部材と前記第一部材との間に、前記第一摺接部材、前記第二部材、及び前記第二摺接部材が挟み込まれ、前記第二部材が前記第一摺接部材に対して摺動可能で且つ前記第一摺接部材が前記押圧部材に対して摺動可能であることを特徴とする請求項１に記載のヒンジ構造。
【請求項３】
前記摺接部材が前記支軸の軸方向において前記第二部材の両側に設けられ、押圧部材、一方の前記摺接部材である第一摺接部材、前記第二部材、他方の前記摺接部材である第二摺接部材、および前記第一部材が、この順序で前記支軸の軸方向において順に設けられ、前記押圧部材と前記第一部材との間に、前記第一摺接部材、前記第二部材、及び前記第二摺接部材が挟み込まれ、前記第二部材が前記第二摺接部材に対して摺動可能で且つ前記第二摺接部材が前記第一部材に対して摺動可能であることを特徴とする請求項１又は請求項２に記載のヒンジ構造。
【請求項４】
壁に固定可能な被固定部と、アーム型シャワーとを備え、前記アーム型シャワーが前記被固定部に対して前記請求項１〜３のいずれか１項に記載のヒンジ構造を介して連結されたことを特徴とするシャワー装置。
【発明の詳細な説明】
【技術分野】
【０００１】
本発明は、ヒンジ構造及びシャワー装置に関する。
【背景技術】
【０００２】
特許文献１には、可動体を機器本体に対して旋回させるための機構が開示されている。この機構では、可動体に形成された貫通孔に、機器本体が有する回転軸が挿入されている。回転軸は、可動体の他、可動体の両側に位置する制動部材や、両制動部材の可動体と反対側に位置するワッシャーにも挿通されている。両制動部材は、回転軸の先端部に螺合したナットを締め付けることで、両ワッシャーによって挟持されている。各制動部材は、可動体の凹みに嵌まり込む突起を有し、可動体と共に回動する。ワッシャーは、回転軸が嵌め込まれる中心孔が非円形であり、機器本体に対して静止する。可動体は、制動部材の側面とワッシャーの側面とを摩擦面として、機器本体の回動軸を中心に回動可能になっている。
【先行技術文献】
【特許文献】
【０００３】
【特許文献１】特開２００４−１６９８７０号公報
【発明の概要】
【発明が解決しようとする課題】
【０００４】
ところが、特許文献１に開示されるようなヒンジ構造にあっては、制動部材やワッシャーが洗剤や水等に濡らされたときに、両者の摺動抵抗が大きく低下し、回動の際のトルクが大きく低下する可能性がある。このようにトルクが大きく低下すると、可動体が回動しやすくなる等の問題が生じる恐れがある。
【０００５】
本発明は前記事情に鑑みてなされたものであって、水や洗剤等が侵入したときの摺動抵抗の低下を抑制し、回動の際のトルクが大きく低下することを抑制できるヒンジ構造を提供することを課題とする。
【課題を解決するための手段】
【０００６】
上記課題を解決するために本発明のヒンジ構造は、第一部材と、この第一部材に設けられた支軸と、この支軸に軸支された第二部材と、前記支軸の軸方向において前記第二部材と並べて設けられた摺接部材とを備え、前記第二部材及び前記摺接部材が前記支軸の軸方向に挟み込まれ、前記摺接部材は予めオイルを含浸させたものであることを特徴とする。
【０００７】
また、前記摺接部材が前記支軸の軸方向において前記第二部材の両側に設けられ、押圧部材、一方の前記摺接部材である第一摺接部材、前記第二部材、他方の前記摺接部材である第二摺接部材、および前記第一部材が、この順序で前記支軸の軸方向において順に設けられ、前記押圧部材と前記第一部材との間に、前記第一摺接部材、前記第二部材、及び前記第二摺接部材が挟み込まれ、前記第二部材が前記第一摺接部材に対して摺動可能で且つ前記第一摺接部材が前記押圧部材に対して摺動可能であることが好ましい。
【０００８】
また、前記摺接部材が前記支軸の軸方向において前記第二部材の両側に設けられ、押圧部材、一方の前記摺接部材である第一摺接部材、前記第二部材、他方の前記摺接部材である第二摺接部材、および前記第一部材が、この順序で前記支軸の軸方向において順に設けられ、前記押圧部材と前記第一部材との間に、前記第一摺接部材、前記第二部材、及び前記第二摺接部材が挟み込まれ、前記第二部材が前記第二摺接部材に対して摺動可能で且つ前記第二摺接部材が前記第一部材に対して摺動可能であることが好ましい。
【０００９】
また、本発明のシャワー装置は、壁に固定可能な被固定部と、アーム型シャワーとを備え、前記アーム型シャワーが前記被固定部に対して前記ヒンジ構造を介して連結されたことを特徴とする。
【発明の効果】
【００１０】
本発明のヒンジ構造にあっては、予めオイルを含浸させた摺接部材が、支軸の軸方向に挟持される。このため、洗剤や水等が入り込んだとしても、第二部材の回動時における摺動抵抗が低下し難くなり、第二部材の回動時におけるトルクが大きく低下することを抑制できる。
【図面の簡単な説明】
【００１１】
【図１】本発明の実施形態のヒンジ構造を示す断面図である。
【図２】同上のヒンジ構造を有するシャワー装置を浴室の壁に設置した状態を示した斜視図である。
【図３】同上のシャワー装置のアーム型シャワーと湯水混合栓との連結部分を示す斜視図である。
【図４】同上のヒンジ構造であり、（ａ）はボルトの頭部側から見た斜視図であり、（ｂ）はナット側から見た斜視図である。
【図５】同上のヒンジ構造の底面図である。
【図６】同上のヒンジ構造の分解斜視図である。
【発明を実施するための形態】
【００１２】
以下、添付図面に基づいて本発明の実施形態につき説明する。図２には、本実施形態のヒンジ構造５を備えたシャワー装置１が示されている。シャワー装置１は、例えば図２に示されるように、浴室の壁２に設置される。以下、この設置状態における方向を基準にして、シャワー装置１やヒンジ構造５について説明する。すなわち、以下では、図２において矢印Ｄ１で示される方向を前方、矢印Ｄ２で示される方向を後方、矢印Ｄ３で示される方向を右方、矢印Ｄ４で示される方向を左方として、説明する。
【００１３】
シャワー装置１は、装置本体３と、アーム型シャワー４を備えている。なお、シャワー装置１には、湯水吐出手段として、アーム型シャワー４や、後述するノズル３０に加えて、オーバーヘッドシャワーやハンドシャワー等が設けられてもよい。
【００１４】
装置本体３は、壁２に固定される被固定部となっている。装置本体３の上端部には、横に長い湯水混合栓３１が設けられている。湯水混合栓３１は、給水管（不図示）から供給された水と、給湯管（不図示）から供給された湯を所望の割合で混合し、所望温度の湯水を生成する。給水管及び給湯管は、浴室外から壁２を通して浴室内に導入され、この導入した部分が湯水混合栓３１に接続されている。装置本体３の前面部を構成するカバー３４は、給水管及び給湯管において壁２から浴室内に導入された部分を覆っている。
【００１５】
装置本体３の前面部の下部には、折り畳み可能な椅子３２が設けられている。椅子３２は、図２に示されるように前方に引出した展開状態と、装置本体３の前面部に沿う折り畳み状態（不図示）とに変形可能である。
【００１６】
装置本体３の前面部には、ノズル３０が設けられている。ノズル３０は、図示しない配管を通じて湯水混合栓３１に接続されている。ノズル３０は、湯水混合栓３１から配管を介して供給された湯水を霧状にして前側に噴出する。
【００１７】
湯水混合栓３１の左右両端部には、アーム型シャワー４が連結されている。各アーム型シャワー４は、棒状のアーム４０と、アーム４０に設けられた複数のノズル４１を有している。
【００１８】
湯水混合栓３１には、アーム型シャワー４やノズル３０から湯水を吐出するか否かを切り替えるためのレバー３１０が設けられている。利用者は、レバー３１０を操作することで、例えば使用状態の椅子３２に座った状態で、ノズル３０から噴射された湯水を浴びたり、アーム型シャワー４のノズル４１から噴射された湯水を体に浴びたりすることができる。
【００１９】
両アーム型シャワー４は、湯水混合栓３１に対して上下に回動自在に設けられている。利用者は、両アーム型シャワー４を回動することで、体格や、姿勢、湯水を浴びたい部位等に応じて、両アーム型シャワー４の位置を変更できる。以下、各アーム型シャワー４の回動機構について詳述する。
【００２０】
湯水混合栓３１の左右両端部には、継手６が設けられている。図１に示されるように、各継手６は、略円筒状の本体部６０を有している。本体部６０の軸方向における一端側は閉塞され、他端側は開放されている。本体部６０の軸方向における開放側の端部には、円筒状の第一連結口部６００が形成されている。本体部６０には、本体部６０の周側面から突出した第二連結口部６０１（図３参照）が設けられている。第二連結口部６０１は、本体部６０内の空間を介して第一連結口部６００に連通している。
【００２１】
図３に示されるように、第一連結口部６００は、連結管３３を介して湯水混合栓３１に連結されている。第二連結口部６０１には、アーム４０の一端部が連結されている。これにより、湯水混合栓３１で生成された湯水を、連結管３３及び継手６を介してアーム型シャワー４に供給することが可能になる。
【００２２】
第一連結口部６００は、連結管３３に対して左右軸回り方向に回動自在に連結されている。また、本体部６０の第一連結口部６００と反対側の端部は、ヒンジ構造５を介して湯水混合栓３１に左右軸回り方向に回動自在に連結されている。これにより、各アーム型シャワー４は、上下に回動自在となっている。
【００２３】
図６に示されるように、ヒンジ構造５は、第一部材５０及び第二部材５１を備えている。第一部材５０は、湯水混合栓３１に固定される固定板で構成されている。第二部材５１は、回動板で構成されている。図３に示されるように、第二部材５１は、継手６の本体部６０における第一連結口部６００とは反対側の端部に、ねじ止めにより取り付けられている。
【００２４】
ヒンジ構造５は、図１に示される、ボルト５２、ワッシャー５３、摺接部材５４、スリーブ５５、皿ばね５６、及びナット５７をさらに備えている。
【００２５】
ボルト５２の軸部５２０は、ワッシャー５３、摺接部材５４、第二部材５１、摺接部材５４、第一部材５０、４枚の皿ばね５６、及び２枚のワッシャー５３に順に挿通されている。以下、特に区別する場合には、第二部材５１の両側の摺接部材５４のうち、第一部材５０と反対側の摺接部材５４を第一摺接部材５４０と記載し、第一部材５０側の摺接部材５４を第二摺接部材５４１と記載する。また、３枚のワッシャー５３については、ボルト５２の頭部５２１側のものから順に、第一ワッシャー５３０、第二ワッシャー５３１、第三ワッシャー５３２と記載する。
【００２６】
ボルト５２の軸部５２０の先端部には、ナット５７が螺合されている。ボルト５２とナット５７により、第一ワッシャー５３、第一摺接部材５４０、第二部材５１、第二摺接部材５４１、第一部材５０、４枚の皿ばね５６、第二ワッシャー５３１、及び第三ワッシャー５３２が締結されている。
【００２７】
第二部材５１は、ボルト５２の軸部５２０を中心に回動可能となっている。すなわち、本実施形態では、ボルト５２の軸部５２０が、第二部材５１を軸支する支軸となっている。
【００２８】
図６に示されるように、ボルト５２の頭部５２１から突出した軸部５２０における基端部５２２は、断面円形である。軸部５２０の基端部５２２以外の部分は、断面非円形状の非円形部５２３となっている。非円形部５２３では、軸方向から見て互いに平行な直線状となる面５２４の両端同士が、互いに反対側に突となる一対の円弧状の面５２５で接続されている。ボルト５２のねじ部は、非円形部５２３における一対の円弧状の面５２５に形成されている。
【００２９】
各ワッシャー５３は、ステンレス製である。図１に示されるように、第一ワッシャー５３０の孔５３３には、ボルト５２の軸部５２０の基端部５２２が挿入されている。
【００３０】
各摺接部材５４は、ポリアセタール（ＰＯＭ）樹脂に、オイルを含浸させたものである。オイルは潤滑油であり、摺接部材５４の製造時等、工場において予め含浸される。オイルは、摺接部材５４を構成する樹脂内に均一に分散している。
【００３１】
各摺接部材５４は、ワッシャー５３と略同形状であり、板状で且つ円環状に形成されている。各摺接部材５４の中央には、円形の孔５４２が形成されている。孔５４２の直径は、ボルト５２の軸部５２０の基端部５２２の外径と略同じである。第一摺接部材５４０の孔５４２には、ボルト５２の軸部５２０の基端部５２２が回動自在に挿入されている。すなわち、第一摺接部材５４０は、ボルト５２の軸部５２０の基端部５２２に軸支されている。
【００３２】
第二部材５１は、ワッシャー５３と同じ素材により形成されている。すなわち、第二部材５１は、ステンレス製である。第二部材５１は、板状で且つ円環状に形成されている。第二部材５１の中央には、円形の孔５１０が形成されている。孔５１０の直径は、ボルト５２の軸部５２０の基端部５２２の外径と略同じである。第二部材５１の孔５１０には、ボルト５２の軸部５２０の基端部５２２が回動自在に挿通されている。すなわち、第二部材５１は、ボルト５２の軸部５２０の基端部５２２に軸支されている。
【００３３】
第二摺接部材５４１の孔５４２には、ボルト５２の軸部５２０の基端部５２２が回動自在に挿入されている。すなわち、第二摺接部材５４１は、ボルト５２の軸部５２０の基端部５２２に軸支されている。
【００３４】
第一部材５０は、第一ワッシャー５３０及び第二部材５１と同じ素材により形成されている。すなわち、第一部材５０は、ステンレス製である。
【００３５】
第一部材５０は、図３に示されるように、被取付片部５００と、被取付片部５００から突出した突片部５０１を有している。被取付片部５００は、湯水混合栓３１に取り付けられる部分となる。被取付片部５００は、前後方向と直交する板状に形成されている。突片部５０１は、被取付片部５００の側端部から前方に向かって突出しており、左右方向と直交する板状に形成されている。
【００３６】
突片部５０１の前部には、図１に示される係合孔５０２が形成されている。係合孔５０２は、ボルト５２の軸部５２０の非円形部５２３に合致する形状に形成されており、非円形の孔である。第一部材５０の係合孔５０２には、ボルト５２の軸部５２０の非円形部５２３が挿入されている。第一部材５０の係合孔５０２の周縁部は、ボルト５２の軸部５２０の非円形部５２３に係合している。これにより、ボルト５２は、第一部材５０に対して回動不能に支持されている。
【００３７】
円筒状のスリーブ５５には、ボルト５２の軸部５２０（詳しくは非円形部５２３）において、第一部材５０よりも先端側に突出した部分が挿通されている。スリーブ５５は、断面円形の外周面を有している。各皿ばね５６の中央に形成された円形の孔５６０には、スリーブ５５が挿通されている。すなわち、ボルト５２の軸部５２０は、スリーブ５５を介して各皿ばね５６に挿通されている。なお、図１に示される皿ばね５６は、隣り合う皿ばね５６の向きが逆向きとなるよう重ねて配置されているが、これら皿ばね５６の向きは、同一方向であってもよい。また、スリーブ５５は省略してもよい。
【００３８】
第二ワッシャー５３１の孔５３３及び第三ワッシャー５３２の孔５３３には、ボルト５２の軸部５２０の非円形部５２３が挿入されている。
【００３９】
本実施形態のヒンジ構造５は、ナット５７として、第一ナット５７０及び第二ナット５７１を有しており、ボルト５２の軸部５２０に挿通された第一部材５０、第二部材５１等は、ダブルナットによって締結されている。
【００４０】
第一ナット５７０は、ボルト５２の軸部５２０（詳しくは非円形部５２３）に螺合されている。第一ナット５７０は、第三ワッシャー５３２をボルト５２の頭部５２１側に押圧している。これにより、ボルト５２の頭部５２１と第一ナット５７０の間には、第一ワッシャー５３０、第一摺接部材５４０、第二部材５１、第二摺接部材５４１、第一部材５０、複数の皿ばね５６、第二ワッシャー５３１、及び第三ワッシャー５３２が、軸部５２０の軸方向に挟まれている。
【００４１】
第一摺接部材５４０、第二部材５１、及び第二摺接部材５４１は、第一ワッシャー５３０と、第一部材５０の突片部５０１の間に挟み込まれている。ここで、第一ワッシャー５３０は、第一摺接部材５４０、第二部材５１、及び第二摺接部材５４１の三者を第一部材５０側に押圧する押圧部材を構成している。
【００４２】
ボルト５２と第一ナット５７０による締結は、複数の皿ばね５６を介して行われている。このため、第一摺接部材５４０、第二部材５１、及び第二摺接部材５４１は、第一ワッシャー５３０と第一部材５０との間に、継続して一定の力で挟み込まれている。
【００４３】
第二ナット５７１は、ボルト５２の軸部５２０（詳しくは非円形部５２３）において、第一ナット５７０よりも先端側の部分に螺合されている。第二ナット５７１は、第一ナット５７０をボルト５２の頭部５２１側に押圧している。これにより、ボルト５２に螺合された第一ナット５７０は、緩み難くなっている。
【００４４】
図３に示されるように、第一部材５０の被取付片部５００は、ねじ止めにより湯水混合栓３１に取り付けられている。また、継手６は、ねじ止めにより、第二部材５１の両摺接部材５４よりも外方に突出した外周部に取り付けられている。
【００４５】
利用者が、アーム型シャワー４を上下に回動したとき、図１に示される第二部材５１は、ボルト５２の軸部５２０を中心にして、湯水混合栓３１に固定された第一部材５０に対して回動する。ここで、第二部材５１は、第一摺接部材５４０及び第二摺接部材５４１に対して摺動可能となっている。また、第一摺接部材５４０は、第一ワッシャー５３０に対して摺動可能で、且つ、第二摺接部材５４１は、第一部材５０の突片部５０１に対して摺動可能となっている。従って、第二部材５１の回動時には、第二部材５１が第一摺接部材５４０や第二摺接部材５４１に対して摺動する。あるいは、第二部材５１が第一摺接部材５４０や第二摺接部材５４１と共に回動して、第一摺接部材５４０が第一ワッシャー５３０に対して摺動し、第二摺接部材５４１が第一部材５０の突片部５０１に対して摺動する。
【００４６】
アーム型シャワー４の回動停止時には、第二部材５１と両摺接部材５４の間や、第一摺接部材５４０と第一ワッシャー５３０の間、第二摺接部材５４１と第一部材５０の突片部５０１との間に生じる摩擦抵抗により、第二部材５１は保持される。これにより、アーム型シャワー４は、所望の回動位置で保持される。
【００４７】
以上説明した本実施形態のヒンジ構造５は、第一部材５０と、第一部材５０に設けられた支軸（軸部５２０）と、支軸に軸支された第二部材５１と、支軸の軸方向において第二部材５１と並べて設けられた摺接部材５４とを備えている。第二部材５１及び摺接部材５４が支軸の軸方向に挟み込まれている。そして、摺接部材５４は予めオイルを含浸させたものである。
【００４８】
このヒンジ構造５では、第二部材５１が第一部材５０に対して回動したときに、第二部材５１が摺接部材５４に対して摺動する、又は、摺接部材５４が第二部材５１と共に回動する。ここで、摺接部材５４が第二部材５１と共に回動する場合は、この摺動部材５４は、第二部材５１と反対側に設けられた他部材（第一ワッシャー５３０又は第二部材５１）に対して摺動する。
【００４９】
ここで、本実施形態のヒンジ構造５にあっては、予めオイルが含浸された摺接部材５４が、支軸の軸方向に挟持される。このため、洗剤や水等が入り込んだとしても、第二部材５１の摺接部材５４に対する摺動抵抗や、摺接部材５４の第二部材５１と反対側に隣接する部材（第一ワッシャー５３０、第一部材５０）に対する摺動抵抗は、低下し難くなる。従って、第二部材５１の回動時におけるトルクが大きく低下することを抑制できる。また、これにより、ヒンジ構造５に洗剤や水等が入り込むことによって、第二部材５１が回動しやすくなることを抑制できる。
【００５０】
また、本実施形態では、摺接部材５４が支軸の軸方向において第二部材５１の両側に設けられている。押圧部材（第一ワッシャー５３０）、一方の摺接部材５４である第一摺接部材５４０、第二部材５１、他方の摺接部材５４である第二摺接部材５４１、および第一部材５０が、この順序で支軸の軸方向において順に設けられている。押圧部材と第一部材５０との間に、第一摺接部材５４０、第二部材５１、及び第二摺接部材５４１が挟み込まれている。このヒンジ構造５にあっては、本実施形態のように、第二部材５１が第一摺接部材５４０に対して摺動可能で且つ第一摺接部材５４０が押圧部材に対して摺動可能であることが好ましい。
【００５１】
このようにすることで、第一摺接部材５４０と第二部材５１の間、又は第一摺接部材５４０と押圧部材の間のいずれか一方に、第一摺接部材５４０が削れることで発生した削れ滓等が入り込んだとしても、第二部材５１はスムーズに回動しやすくなる。すなわち、第一摺接部材５４０と第二部材５１の間に、削れ滓等が入り込むと、第二部材５１が第一摺接部材５４０に対して摺動し難くなる恐れがある。しかし、この場合は、第一摺接部材５４０が押圧部材に対して摺動して、第二部材５１が回動する。また、第一摺接部材５４０と押圧部材の間に削れ滓等が入り込むと、第一摺接部材５４０が押圧部材に対して回動し難くなる可能性がある。しかし、この場合は、第二部材５１が第一摺接部材５４０に対して摺動して、第二部材５１が回動する。従って、削れ滓等が入り込んだとしても、第二部材５１はスムーズに回動しやすくなる。
【００５２】
また、本実施形態では、第一摺接部材５４０が摺接する押圧部材及び第二部材５１の素材を同じにしている。このため、第一摺接部材５４０が押圧部材又は第二部材５１のいずれに対して摺動する場合にも、同程度の摺動抵抗とすることができる。
【００５３】
また、ヒンジ構造５にあっては、本実施形態のように、第二部材５１が第二摺接部材５４１に対して摺動可能で且つ第二摺接部材５４１が第一部材５０に対して摺動可能であることが好ましい。
【００５４】
このようにすると、第二摺接部材５４１と第二部材５１の間や、第二摺接部材５４１と第一部材５０の間に、削れ滓等が入り込んだとしても、第二部材５１は、スムーズに回動しやすくなる。すなわち、第二摺接部材５４１と第二部材５１の間に、第二摺接部材５４１が削れることで発生した削れ滓等が入り込むと、第二部材５１が第二摺接部材５４１に対して摺動し難くなる可能性がある。しかし、この場合は、第二摺接部材５４１が第一部材５０に対して摺動して、第二部材５１が回動する。また、第二摺接部材５４１と第一部材５０の間に削れ滓等が入り込むと、第二摺接部材５４１が第一部材５０に対して回動し難くなる可能性がある。しかし、この場合は、第二部材５１が第二摺接部材５４１に対して摺動して、第二部材５１が回動する。
【００５５】
また、本実施形態では、第二摺接部材５４１が摺接する第一部材５０及び第二部材５１の素材を同じにしている。このため、第二摺接部材５４１が第一部材５０及び第二部材５１のいずれに対して摺動する場合にも、同程度の摺動抵抗とすることができる。
【００５６】
また、本実施形態のシャワー装置１は、壁２に固定可能な被固定部（装置本体３）と、アーム型シャワー４とを備えている。そして、アーム型シャワー４が被固定部に対してヒンジ構造５を介して連結される。このシャワー装置１にあっては、アーム型シャワー４を被固定部に回動自在に連結するためのヒンジ構造５に洗剤や水等が入り込んだとしても、アーム型シャワー４が回動しやすくなることを抑制できる。
【００５７】
なお、本実施形態では、オイルが含浸された摺接部材５４を、第二部材５１の両側に設けたが、片側にのみ設けてもよい。また、支軸は、ボルト５２以外の部材で構成されたものであってもよい。また、第一摺接部材５４０を第一部材５０側に押圧する押圧部材を第一ワッシャー５３０としたが、押圧部材はボルト５２の頭部５２１等、他の部材で構成しても構わない。また、本発明のヒンジ構造５が適用される機器は、シャワー装置１に限られず、周囲で水や洗剤等が用いられるその他の水回りの機器であってもよい。
【符号の説明】
【００５８】
１  シャワー装置
３  装置本体（被固定部）
４  アーム型シャワー
５０  第一部材
５１  第二部材
５４  摺接部材
５２０  軸部（支軸）
５３０  第一ワッシャー（押圧部材）
５４０  第一摺接部材
５４１  第二摺接部材
【図１】
2015052357.tif 000003
【図２】
2015052357.tif 000004
【図３】
2015052357.tif 000005
【図４】
2015052357.tif 000006
【図５】
2015052357.tif 000007
【図６】
2015052357.tif 000008